(57)【特許請求の範囲】
【請求項１】
無線機本体の裏面上部に設けたボスにベルトフックのベースが締着される無線機において、前記ボスにゴム弾性を有する弾性部材で形成された係止部が嵌着され、前記係止部が前記ベルトフックのベースで押えられ、前記係止部にバッテリに設けた被係止部を係止させることによりバッテリを無線機本体に回動自在に係止させ、無線機本体に対してバッテリを閉じるように回動させた状態で無線機本体下部とバッテリ下部との一方に設けた凸部を他方に設けた凹部と嵌合させることによりバッテリを無線機本体に対して位置決めし、バッテリ下部を無線機本体にロックさせることを特徴とする無線機におけるバッテリ取付構造。
【請求項２】
バッテリ下部はバッテリに回動自在に設けられたリリースレバーにより無線機本体にロックされる請求項１の無線機におけるバッテリ取付構造。
【請求項３】
バッテリに保護レバーを前記リリースレバーを覆う位置とリリースレバーから離れる位置との間で回動自在に設け、保護レバーがリリースレバーを覆う位置にあるときは、前記保護レバーに設けた緩衝部が前記バッテリと当接して保護レバーを押す方向への回動を禁止させることにより、前記リリースレバーのロック解除が不能となるように構成した請求項２の無線機におけるバッテリ取付構造。
【請求項４】
バッテリ下部は無線機本体に回動自在に設けられたリリースレバーにより無線機本体にロックされる請求項１の無線機におけるバッテリ取付構造。
【請求項５】
無線機本体に保護レバーを前記リリースレバーを覆う位置とリリースレバーにから離れる位置との間で回動自在に設け、保護レバーがリリースレバーを覆う位置にあるときは、前記保護レバーに設けた緩衝部が前記無線機本体と当接して保護レバーを押す方向への回動を禁止させることにより、前記リリースレバーのロック解除が不能となるように構成した請求項４の無線機におけるバッテリ取付構造。
【請求項６】
ベルトフックが前記無線機本体の上部に取付けられており、バッテリが無線機本体に取り付けられた状態でベルトフックの無線機本体への取付部が前記バッテリにより覆われるように構成した請求項１から５のいずれかに記載した無線機におけるバッテリ取付構造。
【発明の詳細な説明】
【０００１】
【発明の属する技術分野】
この発明は無線機におけるバッテリ取付構造に関する。
【０００２】
【従来の技術】
従来の無線機におけるバッテリ取付構造の例を図６および図７に示す。図６に示す無線機本体６の外部を構成するフロントケース８には図７に示すようにシャーシ７が固着されており、シャーシ７の凸部７ａ、７ａはバッテリ９の溝９ａ、９ａと嵌合され、バッテリ９は無線機本体６に対して図６の矢印で示す方向にスライド可能となる。
【０００３】
バッテリ９を無線機本体６に対して矢印方向にスライドさせた後、フロントケース８に設けられたロック部材１０をバッテリ９の凹み９ｂに係止させてバッテリ９は無線機本体６に取付けられる。なお、バッテリ９は図示していない電源端子により無線機本体６に接続される。
【０００４】
上記した図６および図７に示すバッテリ取付構造では樹脂等で作られたバッテリがダイカスト製のシャーシと擦れて削れが発生していた。また、圧接された状態で摺接される電源端子の破損が発生した。
【０００５】
図８および図９に示す従来の無線機におけるバッテリ取付構造ではバッテリ１４の下部が無線機本体１１の下部に係止され、図８の矢印で示すように無線機本体１１に密着するように回動されてバッテリ１４の凹み１４ｂが無線機本体１１に設けられた係止部材１５に係止されてバッテリ１４は無線機本体１１に取付けられる。
【０００６】
バッテリ１４の下部の係止状態は図９に詳しく示されている。図９に示すようにフロントケース１３に覆われたシャーシ１２の穴１２ａにバッテリ１４の凸部１４ａが矢印で示すように差し込まれバッテリ１４の下部が回動自在に係止される。
【０００７】
図８および図９に示す従来の無線機におけるバッテリ取付構造では、図８に示していないが無線機本体１１にベルトに装着するためのベルトフックを付けた場合にそのままではバッテリ１４を無線機本体１１に着脱できなくなる。すなわち、ベルトフックは基端部が無線機本体１１の背面上部に取付けられ無線機本体１１の背面を覆うように延びているのでバッテリ１４を上記のように回動させて無線機本体１１に着脱することはできない。
【０００８】
【発明が解決しようとする課題】
この発明は上記した点に鑑みてなされたものであって、その目的とするところは、電源端子が破損されることがなく、また、バッテリの削れが発生せず、しかもベルトフックを装着したままバッテリを無線機本体に着脱することが可能な無線機におけるバッテリ取付構造を提供することにある。
【０００９】
【課題を解決するための手段】
この発明の無線機におけるバッテリ取付構造は、無線機本体の裏面上部に設けたボスにベルトフックのベースが締着される無線機において、前記ボスにゴム弾性を有する弾性部材で形成された係止部が嵌着され、前記係止部が前記ベルトフックのベースで押えられ、前記係止部にバッテリに設けた被係止部を係止させることによりバッテリを無線機本体に回動自在に係止させ、無線機本体に対してバッテリを閉じるように回動させた状態で無線機本体下部とバッテリ下部との一方に設けた凸部を他方に設けた凹部と嵌合させることによりバッテリを無線機本体に対して位置決めし、バッテリ下部を無線機本体にロックさせるものである。
【００１０】
また、前記無線機におけるバッテリ取付構造において、バッテリ下部はバッテリに回動自在に設けられたリリースレバーにより無線機本体にロックされるものである。
【００１１】
また、前記無線機におけるバッテリ取付構造において、バッテリに保護レバーを前記リリースレバーを覆う位置とリリースレバーから離れる位置との間で回動自在に設け、保護レバーがリリースレバーを覆う位置にあるときは、前記保護レバーに設けた緩衝部が前記バッテリと当接して保護レバーを押す方向への回動を禁止させることにより、前記リリースレバーのロック解除が不能となるように構成したものである。
【００１２】
また、この発明の無線機におけるバッテリ取付構造は、無線機本体の裏面上部にベルトフックのベースが締着される無線機において、無線機本体の裏面上部に弾性部材で形成された係止部を設け、前記係止部にバッテリに設けた被係止部を係止させることによりバッテリを無線機本体に回動自在に係止させ、無線機本体に対してバッテリを閉じるように回動させた状態で無線機本体下部とバッテリ下部との一方に設けた凸部を他方に設けた凹部と嵌合させることによりバッテリを無線機本体に対して位置決めし、バッテリ下部を無線機本体にロックさせるものにおいて、バッテリ下部は無線機本体に回動自在に設けられたリリースレバーにより無線機本体にロックされるものである。
【００１３】
また、前記無線機におけるバッテリ取付構造において、無線機本体に保護レバーを前記リリースレバーを覆う位置とリリースレバーにから離れる位置との間で回動自在に設け、保護レバーがリリースレバーを覆う位置にあるときは、前記保護レバーに設けた緩衝部が前記無線機本体と当接して保護レバーを押す方向への回動を禁止させることにより、前記リリースレバーのロック解除が不能となるように構成したものである。
【００１５】
さらに、前記各無線機におけるバッテリ取付構造において、ベルトフックが前記無線機本体の上部に取付けられており、バッテリが無線機本体に取り付けられた状態でベルトフックの無線機本体への取付部が前記バッテリにより覆われるように構成したものである。
【００１６】
【発明の実施の形態】
この発明の実施例である無線機におけるバッテリ取付構造を図面に基づいて説明する。図１はこの発明の第１の実施例である無線機におけるバッテリ取付構造の無線機本体の部分を示す側面図、図２は同バッテリ取付構造のバッテリの部分を示す断面図、図３は図１におけるＡ−Ａ断面図、図４は同バッテリ取付構造の部分を示す断面図である。
【００１７】
図１に示す無線機本体１はフロントケース３にダイカスト製のシャーシ２が固着されて形成されている。シャーシ２の無線機本体１上部に位置する部分に設けられたボス２ａにはゴム製の弾性部材１６が嵌着されている。ボス２ａにはさらにねじ１９によりベルトフック１８のベース１８ａが締着されている。
【００１８】
弾性部材１６には両側に凹部１６ａ、１６ａが形成されている。ただし図１には一方の凹部１６ａのみを示している。ベース１８ａは軸１８ｂを介してベルトフック１８が回動自在に支持しており、ベルトフック１８は図示してない捩じりコイルばねにより図１における時計方向に付勢されている。シャーシ２の無線機本体１下部に位置する部分に設けられた凸部２ｂには穴２ｃが設けられている。
【００１９】
図２に示すバッテリ４の上部には両側に凸部４ａ、４ａが形成されている。ただし図２には一方の凸部４ａのみを示している。バッテリ４の下部には凹部４ｂが設けられており、この凹部４ｂの一側を覆うようにリリースレバー５が軸１７を介して回動自在に取り付けられている。リリースレバー５は図示していない捩じりコイルばねにより図２における時計方向に付勢されている。リリースレバー５の一端には係止部５ａが形成されている。
【００２０】
軸１７はさらに保護レバー２０を回動自在に支持している。図４にも詳しく示すように、保護レバー２０の軸１７の先端部には緩衝部２０ａが設けられており、保護レバー２０を図４におけるＡ方向に回動させてリリースレバー５を覆う位置に回動させると、折曲片で形成された緩衝部２０ａがバッテリ４に当接してそれ以上のＡ方向の回動が禁止される。
【００２１】
バッテリ４の無線機本体１への取付は次のようにして行われる。すなわち、上記バッテリ４をベルトフック１８の下から無線機本体１の上方に向けてさし込み、バッテリ４の凸部４ａ、４ａを弾性部材１６の凹部１６ａ、１６ａに嵌合させてバッテリ４の上端を無線機本体１に回動自在に支持させる。
【００２２】
さらに、バッテリ４が無線機本体１に密着するように回動されるとシャーシ２の凸部２ｂがバッテリ４の凹部４ｂに嵌まり込み、凸部４ａ、４ａと凹部１６ａ、１６ａとの嵌合および凸部２ｂと凹部４ｂとの嵌合によりバッテリ４が無線機本体１に位置決めされる。さらに、リリースレバー５の係止部５ａは凸部２ｂに対して一旦後退した後元にもどり穴２ｃに入り込みバッテリ４を無線機本体１にロックする。図４にリリースレバー５がバッテリ４をロックした状態が示されている。
【００２３】
バッテリ４が無線機本体１に取付けられた状態で、図３に示すように無線機本体１のシャーシ２はバッテリ４とフロントケース３で覆われる。図示していないがバッテリ４に設けられた電源端子は無線機本体１に設けられた電源端子と圧接されるがバッテリ４の装着時にバッテリ４が無線機本体１に対してスライドされないので電源端子が破損することがない。また、バッテリ４が削られることもない。
【００２４】
バッテリ４を外すときは、図４に示すように、保護レバー２０をリリースレバー５から離れるように回動させて、リリースレバー５の係止部５ａと反対の側を矢印Ｆ方向に押す。そして、リリースレバー５を捩じりコイルばねの弾力に抗して図４における反時計方向に回動させてリリースレバー５の係止部５ａを穴２ｃから外しロックを解除する。
【００２５】
さらに、バッテリ４を無線機本体１から離すように回動させて凸部２ｂと凹部４ｂとの嵌合を外してバッテリ４を引き抜く。通常の使用状態では保護レバー２０をリリースレバー５を覆う位置に回動させているので、指や異物がリリースレバー５を押して、不用意にリリースレバー５がロック解除されバッテリ４が外れることが防止される。
【００２６】
このようにバッテリ４の取付または取外しはベルトフック１８を外すことなく行える。そして、ベルトフック１８の取付用のねじ１９は使用時にバッテリ４に覆われるのでねじ１９がベルト等にひっ掛かることはない。
【００２７】
バッテリ４は無線機本体１の上下において、凸部と凹部の嵌合により位置決めされているので無線機本体１に対する位置が安定する。また、バッテリ上側の凸部４ａは弾性部材と嵌合しており、落下等による衝撃が弾性部材により吸収される。さらに、衝撃が大きいときはリリースレバー５のロックが外れバッテリ４が無線機本体１から離れることにより衝撃が小さくなり、破損を免れることができる。
【００２８】
図５はこの発明の第２の実施例である無線機におけるバッテリ取付構造の部分を示す断面図である。この例ではリリースレバー５は軸１７を介してフロントケース３に回動自在に支持されており、図示していない捩じりコイルばねにより図５における反時計方向に付勢されている。
【００２９】
第１の実施例と同様にバッテリ４の上部が無線機本体のシャーシ２に回動自在に係止され、バッテリ４が無線機本体に密着するように回動されるとシャーシ２の凸部２ｂがバッテリ４の凹部４ｂに嵌まり込み、バッテリ４の上部での無線機本体との嵌合および凸部２ｂと凹部４ｂとの嵌合によりバッテリ４が無線機本体１に位置決めされる。
【００３０】
そして、リリースレバー５の係止部５ａは一旦後退した後元にもどりバッテリ４の穴４ｃに入り込みバッテリ４を無線機本体１にロックする。図５にリリースレバー５がバッテリ４をロックした状態が示されている。
【００３１】
この例でもバッテリ４を無線機本体に着脱することにより電源端子が破損されず、また、バッテリが削られることがない。さらに、ベルトフックを付けたままバッテリ４を無線機本体に着脱することができる。なお、この例でも第１の実施例と同様に保護レバーをフロントケース３に設けることができる。
【００３２】
【発明の効果】
この発明の無線機におけるバッテリ取付構造によれば、無線機本体にバッテリを係止させるための嵌合調整は簡単であり、ガタツキを少なくすることができる。また、電源端子は圧接された状態で摺接されないのでバッテリ着脱により破損することがない。
【００３３】
また、ベルトフックを無線機本体に装着した状態でバッテリを着脱できる。さらに、着脱によりバッテリが削られることがない。
【００３４】
なお、保護レバーを設けたものはバッテリが無線機本体から不用意に外されることが防止される。
【図面の簡単な説明】
【図１】この発明の第１の実施例である無線機におけるバッテリ取付構造の部分を示す側面図である。
【図２】同バッテリ取付構造の他の部分を示す断面図である。
【図３】同バッテリ取付構造の図１におけるＡ−Ａ断面図である。
【図４】同バッテリ取付構造の部分を示す断面図である。
【図５】この発明の第２の実施例である無線機におけるバッテリ取付構造の部分を示す断面図である。
【図６】従来の無線機におけるバッテリ取付構造の例を示す側面図である。
【図７】図６におけるＢ−Ｂ断面図である。
【図８】従来の無線機におけるバッテリ取付構造の他の例を示す側面図である。
【図９】同バッテリ取付構造の部分を示す断面図である。
【符号の説明】
１  無線機本体
２  シャーシ、２ａ  ボス、２ｂ  凸部、２ｃ  穴
３  フロントケース
４  バッテリ、４ａ  凸部、４ｂ  凹部、４ｃ  穴
５  リリースレバー、５ａ  係止部
６  無線機本体
７  シャーシ、７ａ  凸部
８  フロントケース
９  バッテリ、９ａ  溝、９ｂ  凹み
１０  ロック部材
１１  無線機本体
１２  シャーシ、１２ａ  穴
１３  フロントケース
１４  バッテリ、１４ａ  凸部、１４ｂ  凹み
１５  係止部材
１６  弾性部材、１６ａ  凹部
１７  軸
１８  ベルトフック、１８ａ  ベース、１８ｂ  軸
１９  ねじ
２０  保護レバー、２０ａ  緩衝部
【図１】
0003931213.tif 000002
【図２】
0003931213.tif 000003
【図３】
0003931213.tif 000004
【図４】
0003931213.tif 000005
【図５】
0003931213.tif 000006
【図６】
0003931213.tif 000007
【図７】
0003931213.tif 000008
【図８】
0003931213.tif 000009
【図９】
0003931213.tif 000010